(57)【要約】【課題】対向機器との接続を、通常用いられている近距離無線通信規格を利用して省電力で行うことができる通信装置及び通信システムを提供すること。【解決手段】通信装置2を次のように構成する。すなわち、ヘッドセット6との間で近距離無線通信を行う近距離無線通信部2-1と、ヘッドセット6から発信されたデバイス検索信号を検出すると、近距離無線通信部2-1を起動させるトリガ信号を生成する低消費電力の無線検出部2-2と、近距離無線通信部2-2を起動させ且つ無線検出部2-2を起動させないノーマルモードと、前記近距離無線通信部2-2を起動させず且つ前記無線検出部を起動させるエコモードと、への切り替え設定操作に基づいて無線検出部2-2及び近距離無線通信部2-1を制御するメイン制御部2-8と、を通信装置2に具備させる。【選択図】図2
2011254158.tif 000002
【特許請求の範囲】
【請求項１】
対向機器との間で近距離無線通信を行う近距離無線通信部と、
前記近距離無線通信部よりも低い消費電力で動作し、前記対向機器から発信されたデバイス検索信号を検出すると、前記近距離無線通信部を起動させるトリガ信号を生成する無線検出部と、
前記近距離無線通信部を起動させ且つ前記無線検出部を起動させない常時起動モードと、前記近距離無線通信部を起動させず且つ前記無線検出部を起動させる省電力モードと、への切り替え設定操作を行う為の動作モード設定部と、
前記動作モード設定部によって設定された動作モードに従って、前記無線検出部及び前記近距離無線通信部を制御する制御部と、
を具備することを特徴とする通信装置。
【請求項２】
第１の装置と第２の装置とを具備する通信システムであって、
前記第１の装置は、デバイス検索信号を送信する第１の近距離無線通信部を有し、
前記第２の装置は、
前記第１の装置から送信された前記デバイス検索信号を受信すると、前記第１の装置に対して応答信号を出力する第２の近距離無線通信部と、
前記第２の近距離無線通信部より低い消費電力で動作する無線検出部と、
を有し、
前記無線検出部は、前記第２の近距離無線通信部が動作停止状態のときに、前記第１の近距離無線通信部によって送信された前記デバイス検索信号を検出すると、前記第２の近距離無線通信部を起動するトリガ信号を生成する
ことを特徴とする通信システム。
【請求項３】
前記第１の装置は、前記第１の近距離無線通信部による前記第２の近距離無線通信部との近距離無線通信に先だって、前記第２の装置についての認証処理を行う認証処理部を含む
ことを特徴とする請求項２に記載の通信システム。
【請求項４】
前記認証処理部は、前記第２の装置が接続対象機器として予め登録されている機器であるか否かを判定し、
前記第２の装置が前記登録されている機器であると前記認証処理部により判定された場合に、前記第１の近距離無線通信部による近距離無線通信を許可する通信制御部と、
ことを特徴とする請求項３に記載の通信システム。
【請求項５】
公衆網を介して基地局と通信する公衆網通信部を含み
前記通信制御部は、前記基地局から通話の着信を受信すると、前記第２の装置に対して前記第１の近距離無線通信部によってデバイス検索信号を発信し、
前記認証処理部は、前記デバイス検索信号に対する応答信号に基づいて、前記判定を行う
ことを特徴とする請求項４に記載の通信システム。
【請求項６】
前記第２の装置は、前記無線検出部を起動状態に設定し、且つ、前記第２の近距離無線通信部を非起動状態に設定する省電力モードに切り替えるモード設定部を含み、
前記第２の近距離無線通信部が、前記第１の近距離無線通信部との近距離無線通信中に当該近距離無線通信の終了通知を受信した場合であって、前記モード設定部により前記省電力モードに切り替えられた場合には、前記第２の近距離無線通信部は動作停止状態に設定され且つ前記無線検出部が起動状態に設定され、当該第２の装置は前記無線検出部による待機状態となり、
前記第２の近距離無線通信部が、前記第１の近距離無線通信部との近距離無線通信中に当該近距離無線通信の終了通知を受信した場合であって、前記モード設定部により前記省電力モードに切り替えられていない場合には、前記第２の近距離無線通信部は起動状態を維持し且つ前記無線検出部は動作停止状態に設定され、当該第２の装置は前記第２の近距離無線通信部による待機状態となる
ことを特徴とする請求項２に記載の通信システム。
【発明の詳細な説明】
【技術分野】
【０００１】
本発明の実施形態は、対向機器との間で発着信時における呼制御を行うことができる通信装置に関する。
【背景技術】
【０００２】
近年、近距離無線通信技術（例えばブルートゥース（Ｂｌｕｅｔｏｏｔｈ（登録商標）等）が各種電子機器に適用されている。この近距離無線通信技術によれば、例えば携帯電話機等の携帯情報端末や携帯型音楽再生機から、例えばヘッドセット等の対向機器に対して、オーディオケーブルを用いることなくオーディオデータを転送することができる。
【０００３】
このような技術に関連する技術として、例えば次の技術が提案されている。すなわち、情報処理装置（例えば携帯電話機等；以降、同様）に着信が入った場合に、当該情報処理装置が、対向機器（例えばヘッドセット等；以降、同様）に対して近距離無線通信（例えばＢｌｕｅｔｏｏｔｈ等；以降、同様）の接続要求を発行して、近距離無線通信による対向機器を用いた通話を可能とする技術が知られている。
【先行技術文献】
【特許文献】
【０００４】
【特許文献１】特開２００９−１２４２４３号公報
【特許文献２】特開２００９−８９４３４号公報
【発明の概要】
【発明が解決しようとする課題】
【０００５】
ところで、近距離無線通信による通信を行う際には、何らかのイベントをトリガとして、情報処理装置から対向機器へ近距離無線通信による接続要求を発行する必要がある。
【０００６】
例えば特許文献１に開示されている技術においては、情報処理装置における着信イベントをトリガとして、対向機器に近距離無線通信の接続を要求する。このような技術を適用する場合、接続を要求される機器は、常に対向機器からの接続要求信号を受信できる状態（スキャン状態）にて動作していることが前提である。このことは、消費電力の増大を意味している。
【０００７】
このような事情を鑑みて、例えば特許文献２には、待機電力を低減させた無線検出装置（受信器）が開示されている。この特許文献２に開示されている技術では、誤った機器との接続を防ぐ為に、近距離無線通信規格にて規定されていない特殊なフォーマット信号を発行する。従って、この特殊な規格を互いに取り扱うことが可能な機器同士間での適用となる。
【０００８】
本発明は、前記の事情に鑑みて為されたものであり、対向機器との接続を、通常用いられている近距離無線通信規格を利用して省電力で行うことができる通信装置及び通信システムを提供することを目的とする。
【課題を解決するための手段】
【０００９】
前記の目的を達成するために、本発明の第１の態様による通信装置は、
対向機器との間で近距離無線通信を行う近距離無線通信部と、
前記近距離無線通信部よりも低い消費電力で動作し、前記対向機器から発信されたデバイス検索信号を検出すると、前記近距離無線通信部を起動させるトリガ信号を生成する無線検出部と、
前記近距離無線通信部を起動させ且つ前記無線検出部を起動させない常時起動モードと、前記近距離無線通信部を起動させず且つ前記無線検出部を起動させる省電力モードと、への切り替え設定操作を行う為の動作モード設定部と、
前記動作モード設定部によって設定された動作モードに従って、前記無線検出部及び前記近距離無線通信部を制御する制御部と、
を具備することを特徴とする。
【発明の効果】
【００１０】
本発明によれば、対向機器との接続を、通常用いられている近距離無線通信規格を利用して省電力で行うことができる通信装置及び通信システムを提供することができる。
【図面の簡単な説明】
【００１１】
【図１】本発明の一実施形態に係る通信装置及び通信システムの一構成例を示す図。
【図２】本発明の一実施形態に係る携帯端末装置の一構成例を示す図である。
【図３】本発明の一実施形態に係る携帯端末装置のディスプレイに表示させる“起動設定メニュー”の一例を示す図。
【図４】本発明の一実施形態に係る通信システムにおける対向機器であるヘッドセットの一構成例を示す図。
【図５】本発明の一実施形態に係る通信システムにおける対向機器であるヘッドセットに設けられた起動モード設定スイッチの一構成例を示す図。
【図６】携帯端末装置における通話の着信を、エコモードに設定されたヘッドセットに近距離無線通信によって通知し、当該ヘッドセットを用いた通話を行う為の処理のシーケンスを示す図。
【図７】“接続失敗時処理”サブルーチンの処理の一例を示す図。
【図８】携帯端末装置における通話の着信を、ノーマルモードに設定されたヘッドセットに近距離無線通信によって通知し、当該ヘッドセットを用いた通話を行う為の処理のシーケンスを示す図。
【図９】エコモードに設定されている携帯端末装置を用いて、ヘッドセットによって発信処理を行うシーケンスの一例を示す図。
【図１０】“発信時の接続失敗時処理”サブルーチンの処理の一例を示す図。
【図１１】ヘッドセットを利用した通話を終了させる際の処理の一例を示すシーケンスを示す図。
【発明を実施するための形態】
【００１２】
以下、図面を参照して本発明の一実施形態について説明する。
【００１３】
図１は、本一実施形態に係る通信システムの一構成例を示す図である。同図に示すように、本一実施形態に係る通信システムは、本一実施形態に係る通信装置（本例では携帯端末装置を想定する）２と、無線電話の基地局４と、携帯端末装置２の対向機器としてユーザ１により使用されるヘッドセット６と、を具備する。
【００１４】
図２は、本一実施形態に係る携帯端末装置２の一構成例を示す図である。同図に示すように、携帯端末装置２は、近距離無線通信装置２−１と、無線検出装置２−２と、公衆無線通信装置２−３と、ＫＥＹ入力装置２−４と、ディスプレイ２−５と、スピーカ２−６と、マイクロフォン２−７と、メイン制御部２−８と、を具備する。
【００１５】
この携帯端末装置２は、セルラー通信と称されている無線通信（例えばＷＣＤＭＡやＬＴＥ等）を基地局４との間で行うことにより、通話、メール、及びインターネット等を可能とする端末である。詳細は後述するが、この携帯端末装置２は、公衆網無線通信機能の他に近距離無線通信機能を有する。
【００１６】
前記近距離無線通信装置２−１は、近距離無線通信（本例では、近距離無線通信規格として具体的にＢｌｕｅｔｏｏｔｈ（Ｒ）を想定している；以降、同様）の通信モジュールである。従って、この近距離無線通信装置２−１は、他のＢｌｕｅｔｏｏｔｈ（Ｒ）通信モジュールを実装したデバイス（本例では携帯端末装置２の対向機器であるヘッドセット６）との間でＢｌｕｅｔｏｏｔｈ（Ｒ）の仕様に従った通信を可能にする。
【００１７】
なお、近距離無線通信規格としてＢｌｕｅｔｏｏｔｈ（Ｒ）を想定しているが、これに限られないことは勿論である。
【００１８】
前記無線検出装置２−２は、無線電波を極めて小さな消費電力で検出する装置である。具体的には、次の構成を採る。すなわち、この無線検出装置２−２は、無線信号（本例ではＢｌｕｅｔｏｏｔｈ（Ｒ）による近距離無線通信の信号）を受信して、当該携帯端末装置２の状態を移行させる（詳細は後述するが、近距離無線通信装置２−１を起動させてＢｌｕｅｔｏｏｔｈ（Ｒ）による近距離無線通信の接続処理を可能な状態に移行させる）為のトリガ信号を発生するトリガ信号発生装置を具備する無線検出装置であって、前記ヘッドセット６から発信されたデバイス検索要求信号を受信し、該デバイス要求信号の大きさに応じた振幅を持つ電流を生成する電流生成手段と、前記電流生成手段が生成する電流の大きさに応じた振幅を有し、第一電源電位から第二電源電位に向かって流れる電流を出力する電流出力手段と、前記電流出力手段が出力する電流を増幅するカレントミラー回路と、を含む信号増幅手段と、前記カレントミラーの出力端に接続され、前記信号増幅手段で増幅された電流信号を電圧信号に変換して、前記近距離無線通信装置２−１を起動させる為のトリガ信号を生成するトリガ信号生成手段と、前記第一電源電位と前記第二電源電位とに接続される電源と、を具備し、前記電流生成手段は、前記第一電源電位又は前記第二電源電位の何れか一方に接続されており、前記電流出力手段は、前記電流生成手段が接続される電源電位に接続されている、ことを特徴とする無線検出装置である。更に詳細には、この無線検出装置に関する技術は、特開２００９−８９４３４号公報に開示されている。
【００１９】
具体的には、本一実施形態において無線検出装置２−２は、近距離無線通信に用いる無線通信規格（本例ではＢｌｕｅｔｏｏｔｈ（Ｒ））で定められているデバイス検索信号を、上述の構成により極めて小さな待機電力・消費電力によって検出し、且つ、該検出により上述のトリガ信号を生成し、該トリガ信号によって前記近距離無線通信装置２−１を起動させる。
【００２０】
ところで、本一実施形態に係る携帯端末装置２は、通常使用時の“ノーマルモード”と、待機電力・消費電力を大幅に削減した動作の“エコモード”と、の２種類の動作モードを有する。
【００２１】
前記ノーマルモードにおいては、対向機器であるヘッドセット６とのＢｌｕｅｔｏｏｔｈ（Ｒ）による近距離無線通信の接続処理の為に、近距離無線通信装置２−１を常時起動させておく。
【００２２】
前記エコモードにおいては、ヘッドセット６とのＢｌｕｅｔｏｏｔｈ（Ｒ）による近距離無線通信の接続処理の為に近距離無線通信装置２−１を常時起動させず、代わりに省電力の無線検出装置２−２を常時起動させる。上述したように無線検出装置２−２は非常に省電力な無線検出装置である為、大幅な待機電力の削減が実現する。
【００２３】
詳細は後述するが、対向機器であるヘッドセット６においても、携帯端末装置２と同様に“エコモード”と“ノーマルモード”との２種類の動作モードが設けられている。そして、本一実施形態に係る携帯端末装置２は、ヘッドセット６において設定されている動作モードに関わらず、常に同じ処理フローで近距離無線通信の接続処理を行うことができる。
【００２４】
換言すれば、携帯端末装置２は、ヘッドセット６の動作モードの設定状態に応じた特別な設定切り替えを必要としない。つまり、携帯端末装置２のユーザの操作性を全く損なわずに省電力を実現している。
【００２５】
ここで、携帯端末装置２における動作モードの設定切り替えについては、例えば図３に示すようにディスプレイ２−５に“起動設定メニュー”を表示し、該表示画面上でのユーザ１による設定を可能とする。
【００２６】
具体的には、図３に示す起動設定メニューにおける“常時起動ＯＮ”は、上述のノーマルモードのことであり、近距離無線通信装置２−１を常時起動させておくモードである。図３に示す“常時起動ＯＮ（エコモード）”は、上述のエコモードのことであり、無線検出装置２−２を常時起動させておくモードである。図３に示す“常時起動ＯＦＦ”は、近距離無線通信装置２−１及び無線検出装置２−２の双方を停止させたモードである。
【００２７】
なお、携帯端末装置２における動作モードの設定切り替え方法としては、上述のような
方法の他、例えば専用のスイッチを設ける等の方法を挙げることができる。
【００２８】
前記公衆無線通信装置２−３は、例えばＣＤＭＡ等によるデジタル無線電話通信を実現する装置であり、他の同種のデジタル無線電話機能を有する対向無線端末（不図示）と基地局４を介して公衆網通信を行う為の装置である。
【００２９】
前記ＫＥＹ入力装置２−４は、入力操作の為の複数のキースイッチから成り、ユーザ１により操作されたキースイッチを識別するコード信号をメイン制御部２−８へ通知する。
【００３０】
前記ディスプレイ２−５は、例えばメッセージ交換セッションで送受するメッセージ等の各種情報を表示する装置である。
【００３１】
前記スピーカ２−６は、受話に用いられるスピーカである。
【００３２】
前記マイクロフォン２−７は、送話に用いられるマイクロフォンである。
【００３３】
前記メイン制御部２−８は、当該携帯端末装置２の各部を統括的に制御するＣＰＵと該ＣＰＵによって利用されるプログラムとから構成される。ここでは、説明の便宜上、図２に示すように各機能をモジュールとして表現して説明する。すなわち、このメイン制御部２−８は、アプリケーション制御部２−８ａと、無線通信制御部２−８ｂと、無線検出装置制御部２−８ｃと、公衆無線制御部２−８ｄと、ＫＥＹ入力制御部２−８ｆと、画面出力制御部２−８ｇと、を有する。
【００３４】
前記アプリケーション制御部２−８ａは、近距離無線アプリ制御部２−８ａ１と、近距離無線モード制御部２−８ａ２と、を備える。前記近距離無線アプリ制御部２−８ａ１は、近距離無線通信装置２−２を介してＢｌｕｅｔｏｏｔｈ（Ｒ）による近距離無線通信の制御を行う。前記近距離無線モード制御部２−８ａ２は、当該携帯端末装置２における動作モード切り替えに係る制御を行う。
【００３５】
前記無線通信制御部２−８ｂは、後述する接続機器登録ＤＢ２−８ｂ１を参照して、Ｂｌｕｅｔｏｏｔｈ（Ｒ）による近距離無線通信を行う際の認証処理の制御を行う。具体的には、無線通信制御部２−８ｂは、通信によって他の装置（対向機器）のパラメータ（認証に係る情報）を受信し、該パラメータと接続機器登録ＤＢ２−８ｂ１に格納されているデータとを照合して認証処理を行う。
【００３６】
前記接続機器登録ＤＢ２−８ｂ１は、無線通信制御部２−８ｂによる認証処理に係るデータが格納されたデータベースである。
【００３７】
前記無線検出装置制御部２−８ｃは、無線検出装置２−２による処理を制御する。
【００３８】
前記公衆無線制御部２−８ｄは、公衆無線通信装置２−３による処理を制御する。
【００３９】
前記通話制御部２−８ｅは、通話に係る処理を制御する。
【００４０】
前記ＫＥＹ入力制御部２−８ｆは、ＫＥＹ入力装置２−４から出力されたコード信号に基づいた制御を行う。
【００４１】
前記画面出力制御部２−８ｇは、ディスプレイ２−５の表示制御処理を行う。
【００４２】
図４は、本一実施形態に係る通信システムにおける対向機器であるヘッドセット６の一構成例を示す図である。同図に示すように、ヘッドセット６は、近距離無線通信装置６−１と、無線検出装置６−２と、ＫＥＹ入力装置６−４と、スピーカ６−６と、マイクロフォン６−７と、起動モード設定スイッチ６−９と、メイン制御部６−８と、を具備する。このヘッドセット６は、携帯端末装置２との間でＢｌｕｅｔｏｏｔｈ（Ｒ）による近距離無線通信を行い、これにより携帯端末装置２を介した通話や音楽再生等が可能となる。
【００４３】
前記近距離無線通信装置６−１は、Ｂｌｕｅｔｏｏｔｈ（Ｒ）の通信モジュールであり、他のＢｌｕｅｔｏｏｔｈ（Ｒ）通信モジュールを実装したデバイス（本例においては、携帯端末装置２）とのＢｌｕｅｔｏｏｔｈ（Ｒ）の仕様に従った通信を可能にする。
【００４４】
前記無線検出装置６−２は、無線電波を極めて小さな消費電力で検出する装置である。すなわち、この無線検出装置６−２は、Ｂｌｕｅｔｏｏｔｈ（Ｒ）による近距離無線通信の信号を受信して、当該携帯端末装置ヘッドセット６の状態を移行させる（詳細は後述するが、近距離無線通信装置６−１を起動させてＢｌｕｅｔｏｏｔｈ（Ｒ）による近距離無線通信の接続処理を可能な状態に移行させる）為のトリガ信号を発生するトリガ信号発生装置を具備する無線検出装置であって、前記携帯端末装置２から発信されたデバイス検索要求信号を受信し、該デバイス要求信号の大きさに応じた振幅を持つ電流を生成する電流生成手段と、前記電流生成手段が生成する電流の大きさに応じた振幅を有し、第一電源電位から第二電源電位に向かって流れる電流を出力する電流出力手段と、前記電流出力手段が出力する電流を増幅するカレントミラー回路と、を含む信号増幅手段と、前記カレントミラーの出力端に接続され、前記信号増幅手段で増幅された電流信号を電圧信号に変換して、前記近距離無線通信装置６−１を起動させる為のトリガ信号を生成するトリガ信号生成手段と、前記第一電源電位と前記第二電源電位とに接続される電源と、を具備し、前記電流生成手段は、前記第一電源電位又は前記第二電源電位の何れか一方に接続されており、前記電流出力手段は、前記電流生成手段が接続される電源電位に接続されている、ことを特徴とする無線検出装置である。更に詳細には、この無線検出装置に関する技術は、特開２００９−８９４３４号公報に開示されている。
【００４５】
具体的には、本一実施形態において無線検出装置６−２は、近距離無線通信に用いる無線通信規格（本例ではＢｌｕｅｔｏｏｔｈ（Ｒ））で定められているデバイス検索信号を、上述の構成により極めて小さな待機電力・消費電力によって検出し、且つ、該検出により上述のトリガ信号を生成し、該トリガ信号によって前記近距離無線通信装置６−１を起動させる。
【００４６】
ところで、ヘッドセット６も携帯端末装置２と同様に、通常使用時の“ノーマルモード”と、待機電力を大幅に削減した省電力の“エコモード”と、の２種類の動作モードを有する。
【００４７】
前記ノーマルモードにおいては、対向機器である携帯端末装置２とのＢｌｕｅｔｏｏｔｈ（Ｒ）による近距離無線通信の接続処理の為に、近距離無線通信装置６−１を常時起動させておく。
【００４８】
前記エコモードにおいては、携帯端末装置２とのＢｌｕｅｔｏｏｔｈ（Ｒ）による近距離無線通信の接続処理の為に近距離無線通信装置２−１を常時起動させず、代わりに省電力の無線検出装置６−２を常時起動させる。上述したように無線検出装置６−２は非常に省電力な無線検出装置である為、大幅な待機電力の削減が実現する。
【００４９】
前記ＫＥＹ入力装置６−４は、入力操作の為の複数のキースイッチから成り、ユーザ１により操作されたキースイッチを識別するコード信号をメイン制御部６−８へ通知する。
【００５０】
前記スピーカ６−６は、受話に用いられるスピーカである。
【００５１】
前記マイクロフォン６−７は、送話に用いられるマイクロフォンである。
【００５２】
前記メイン制御部６−８は、当該ヘッドセット６の各部を統括的に制御するＣＰＵ及び該ＣＰＵによって利用されるプログラムから構成される。ここでは、説明の便宜上、図４に示すように各機能をモジュールとして表して説明する。すなわち、このメイン制御部６−８は、アプリケーション制御部６−８ａと、無線通信制御部６−８ｂと、無線検出装置制御部６−８ｃと、ＫＥＹ入力制御部６−８ｆと、電源モード制御部６−８ｈと、を有する。
【００５３】
前記アプリケーション制御部６−８ａは、近距離無線通信装置６−２を介してのＢｌｕｅｔｏｏｔｈ（Ｒ）による近距離無線通信の処理等の各種制御を行う。
【００５４】
前記無線通信制御部６−８ｂは、後述する接続機器登録ＤＢ６−８ｂ１を参照して、Ｂｌｕｅｔｏｏｔｈ（Ｒ）による近距離無線通信を行う際の認証処理の制御を行う。具体的には、無線通信制御部６−８ｂは、通信によって他の装置（対向機器）のパラメータ（認証に係る情報）を受信し、該パラメータと接続機器登録ＤＢ６−８ｂ１に格納されているデータとを照合して認証処理を行う。
【００５５】
前記接続機器登録ＤＢ６−８ｂ１は、無線通信制御部６−８ｂによる認証処理に係るデータが格納されたデータベースである。
【００５６】
前記無線検出装置制御部６−８ｃは、無線検出装置６−２による処理を制御する。
【００５７】
前記ＫＥＹ入力制御部６−８ｆは、ＫＥＹ入力装置６−４から出力されたコード信号に基づいた制御を行う。
【００５８】
前記電源モード制御部６−８ｈは、後述する起動モード設定スイッチ６−９の設定状態に基づいてモード設定に係る制御を行う。
【００５９】
前記起動モード設定スイッチ６−９は、上述した“ノーマルモード”と“エコモード”との動作モードを設定切り替え操作する為のスイッチである。図５は、この起動モード設定スイッチ６−９の一構成例を示す図である。同図に示す例では、起動モード設定スイッチ６−９を、矢印５０で示す方向にボタン５１をスライドさせて動作モードの設定切り替えを行うスライドボタン式のスイッチとして構成している。なお、当然ながら、動作モードの設定切り替え方法は上述の例に限られない。
【００６０】
図６は、携帯端末装置２における通話の着信を、エコモードに設定されたヘッドセット６に近距離無線通信によって通知し、当該ヘッドセット６を用いた通話を行う為の処理のシーケンスを示す図である。同図に示すシーケンスの処理は、携帯端末装置２においてはメイン制御部２−８によって実行され、ヘッドセット６においてはメイン制御部６−８によって実行される。
【００６１】
まず、ヘッドセット６は、ユーザ１による起動モード設定スイッチ６−９の操作によってエコモードに設定されると（ステップＴ１）、無線検出装置６−２を起動する（ステップＴ２）。
【００６２】
続いて、予め定められた特定の周波数の無線信号の検出処理が、無線検出装置６−２によって連続的／間欠的に実行される（ステップＴ３）。なお、このステップＴ３においては、無線検出装置６−２は、予め定められた周波数の全ての信号を検出してもよいし、時間軸における信号出力が特定のパターンとなる信号を検出してもよい。
【００６３】
一方、携帯端末装置２では、基地局４より通話の着信が通知され（ステップＳ１）、この着信イベントが公衆無線通信装置２−３によって受信されると（ステップＳ２）、携帯端末装置２の近距離無線通信装置２−１が起動している場合には、近距離無線通信装置２−１により認証済みの機器（ヘッドセット６）に対して近距離無線通信の接続要求を送信する（ステップＳ３）。なお、このステップＳ３における処理は、携帯端末装置２の実装によっては実行しなくともよい。
【００６４】
本例では、この時点において、ヘッドセット６の近距離無線通信装置６−１は起動されていないので（携帯端末装置２とヘッドセット６とは近距離無線通信接続されていないので）、携帯端末装置２に対してヘッドセット６からは何ら接続応答は無い（ステップＴ４）。
【００６５】
携帯端末装置２は、何れかの対向機器との近距離無線通信の接続が確立されているか否かを判断する（ステップＳ４）。何れかの対向機器と近距離無線通信の接続が確立されている場合には、このステップＳ４がＹＥＳに分岐され、既に確立されている近距離無線通信接続を利用してその後の処理が行われる（本シーケンスにおける処理は終了する）。本例では、携帯端末装置２の近距離無線通信装置２−１によりヘッドセット６に対して近距離無線通信の接続要求が実行されていたとしても、ヘッドセット６の近距離無線通信装置６−１は起動されておらず、ヘッドセット６からの接続応答が無いため、前記ステップＳ４はＮＯに分岐される。
【００６６】
対向機器との近距離無線通信接続が確立していない携帯端末装置２では、当該携帯端末装置２がエコモードに設定されているか否かが判断される（ステップＳ５）。当該携帯端末装置２がエコモードに設定されている場合には、このステップＳ５がＹＥＳに分岐され、無線検出装置２−２が停止される（ステップＳ６）。
【００６７】
このステップＳ６における処理の後、または、前記ステップＳ５がＮＯに分岐された場合、携帯端末装置２では近距離無線通信装置２−１が起動され、近距離無線通信の規格（本例ではＢｌｕｅｔｏｏｔｈ（Ｒ））で定められている周囲に存在する機器を検索する為の信号が乗せられた電波（以降、デバイス検索信号と称する）が、近距離無線通信装置２−１によって発信される（ステップＳ７）。このデバイス検索信号は一定時間、連続して発信される（ステップＳ８〜ステップＳ９）。
【００６８】
ここで、ヘッドセット６では、携帯端末装置２によって発信されたデバイス検索信号が無線検出装置６−２により受信され（ステップＴ５、ステップＴ８）、検出される（ステップＴ６）。これにより、ヘッドセット６では、無線検出装置６−２によって近距離無線通信装置６−１が起動され、携帯端末装置２との近距離無線通信によるデバイス検索要求及び接続要求に応答できる“接続許可状態”に設定される（ステップＴ７）。そして、携帯端末装置２に対して、デバイス検索要求に対する応答（デバイス検索応答と称する）が発信される（ステップＴ９）。
【００６９】
このヘッドセット６から発信されたデバイス検索応答は、携帯端末装置２により受信される（ステップＳ１０）。続いて、携帯端末装置２では、当該デバイス検索応答に含まれる対向機器の識別情報と、接続機器登録ＤＢ２−８ｂ１に格納されているデータと、が無線通信制御部２−８ｂによって照合され、当該デバイス検索応答を発信した機器が、予めユーザにより接続機器として登録されている機器であるか否かが判定される（ステップＳ１１）。
【００７０】
ここで、デバイス検索応答を発信した対向機器は登録されている機器ではないと判定された場合、ステップＳ１１はＮＯに分岐され、後述する“接続失敗時処理”サブルーチンへ移行する。なお、“接続失敗時処理”サブルーチンにおける処理に移行する前に、一定時間だけ再度デバイス検索信号の発信を行って、別のデバイスを検索してもよい。
【００７１】
一方、デバイス検索応答を発信した対向機器は登録されている機器であると判定された場合、ステップＳ１１はＹＥＳに分岐され、近距離無線通信装置２−１により、ヘッドセット６に対して接続要求が発信され（ステップＳ１２）、且つ、接続が成功した後に“着信中である旨”の通知が発信される（ステップＳ１３）。
【００７２】
このとき、ヘッドセット６では、携帯端末装置２から発信された接続要求が受信されて接続処理が行われ（ステップＴ１１）、その後、携帯端末装置２から通知された“着信中である旨”の通知が受信され（ステップＴ１３）、着信を報知する状態（例えば着信を報知するための音を出力する状態）となる（ステップＴ１３）。
【００７３】
図７は、“接続失敗時処理”サブルーチンの処理の一例を示す図である。本サブルーチンに入ると、携帯端末装置２では、当該携帯端末装置２がエコモードに設定されているか否かが判断される（ステップＳ１５１）。当該携帯端末装置２がエコモードに設定されている場合には、このステップＳ１５１がＹＥＳに分岐され、無線検出装置２−２が起動され（ステップＳ１５２）、無線検出装置２−２による待機状態となる（ステップＳ１５３）。
【００７４】
当該携帯端末装置２がエコモードに設定されていない場合、ステップＳ１５１がＮＯに分岐され、ノーマルモード（常時起動モード）に設定されているか否かが判断される（ステップＳ１５４）。ノーマルモードに設定されている場合、ステップＳ１５４がＹＥＳに分岐され、近距離無線通信装置２−１が起動され（ステップＳ１５５）、近距離無線通信装置２−１による待機状態となる（ステップＳ１５６）。すなわち、当該携帯端末装置２は、近距離無線通信による対向機器からのデバイス検索要求及び接続要求に応答できる状態で待機する。前記ステップＳ１５４をＮＯに分岐する場合、無線検出装置２−２及び近距離無線通信装置２−１を停止させる（ステップＳ１５７）。
【００７５】
図８は、携帯端末装置２における通話の着信を、ノーマルモードに設定されたヘッドセット６に近距離無線通信によって通知し、当該ヘッドセット６を用いた通話を行う為の処理のシーケンスを示す図である。
【００７６】
同図に示すシーケンスの処理は、携帯端末装置２においてはメイン制御部２−８によって実行され、ヘッドセット６においてはメイン制御部６−８によって実行される。
【００７７】
まず、ヘッドセット６は、ユーザ１による起動モード設定スイッチ６−９の操作によってノーマルモード（常時起動モード）に設定される（ステップＴ２１）。続いて、当該ヘッドセット６の電源が起動されると（ステップＴ２２）、近距離無線通信装置６−１が起動され（ステップＴ２３）、Ｂｌｕｅｔｏｏｔｈ（Ｒ）による近距離無線通信の接続処理が開始される（ステップＴ２４）。
【００７８】
すなわち、近距離無線通信装置６−１によって、近距離無線通信の接続要求が発信される。この接続要求は一定時間、連続して発信される（ステップＴ２５〜ステップＴ２６）。本例において携帯端末装置２は、この時点では近距離無線通信の接続可能状態にない。従って、携帯端末装置２からヘッドセット６への接続応答はない。上述のように一定時間接続要求が失敗した後、近距離無線通信装置６−１は、デバイス検索要求及び接続要求に応答できる状態に設定される（ステップＴ２７）。なお、上述のステップＴ２１とステップＴ２２とを逆順にしても勿論よい。
【００７９】
一方、携帯端末装置２では、基地局４より通話の着信が通知され（ステップＳ２１）、この着信イベントが公衆無線通信装置２−３によって受信されると（ステップＳ２２）、携帯端末装置２の近距離無線通信装置６−１が起動している場合、認証済みの機器（ヘッドセット６）に対して近距離無線通信の接続要求が実行される（ステップＳ２３）。なお、このステップＳ２３における処理は、携帯端末装置２の実装によっては実行しなくともよい。この時点においては、ヘッドセット６は上述したように近距離無線通信装置６−１による接続待機状態にある。従って、ヘッドセット６は、携帯端末装置２からの接続要求を受信し（ステップＴ２８）、携帯端末装置２に対して接続応答を発信する（ステップＴ２９）。
【００８０】
この接続応答は、携帯端末装置２の近距離無線通信装置２−１によって受信される（ステップＳ２４）。そして、携帯端末装置２では、近距離無線通信の接続が確立されているか否かが判断される（ステップＳ２５）。何れかの対向機器と近距離無線通信の接続が確立されている場合には、このステップＳ２５がＹＥＳに分岐され、後述するステップＳ３４へ移行する。
【００８１】
一方、ステップＳ２５がＮＯに分岐された場合、当該携帯端末装置２がエコモードに設定されているか否かが判断される（ステップＳ２６）。当該携帯端末装置２がエコモードに設定されている場合には、このステップＳ２６がＹＥＳに分岐され、無線検出装置２−２が停止される（ステップＳ２７）。
【００８２】
このステップＳ２７における処理の後、または、前記ステップＳ２６がＮＯに分岐された場合、携帯端末装置２では近距離無線通信装置２−１が起動され、該近距離無線通信装置２−１によって、近距離無線通信の規格（本例ではＢｌｕｅｔｏｏｔｈ（Ｒ））で定められているデバイス検索信号が発信される（ステップＳ２８）。
【００８３】
ここで、ヘッドセット６では、携帯端末装置２によって発信されたデバイス検索信号が近距離無線通信装置６−１によって検出される（ステップＴ３０）。続いて、ヘッドセット６では、近距離無線通信装置６−１によって、携帯端末装置２に対してデバイス検索応答が発信される（ステップＴ３１）。
【００８４】
このヘッドセット６から発信されたデバイス検索応答は、携帯端末装置２により受信される（ステップＳ３０）。続いて、携帯端末装置２では、当該デバイス検索応答に含まれる対向機器の識別情報と、接続機器登録ＤＢ２−８ｂ１に格納されているデータと、が無線通信制御部２−８ｂによって照合され、当該デバイス検索応答を発信した機器が、予めユーザにより接続機器として登録されている機器であるか否かが判定される（ステップＳ３１）。
【００８５】
ここで、デバイス検索応答を発信した対向機器は登録されている機器ではないと判定された場合、ステップＳ３１はＮＯに分岐され、上述した“接続失敗時処理”サブルーチンへ移行する。なお、“接続失敗時処理”サブルーチンにおける処理に移行する前に、一定時間だけ再度デバイス検索信号の発信を行って、別のデバイスを検索してもよい。
【００８６】
一方、デバイス検索応答を発信した対向機器は登録されている機器であると判定された場合、ステップＳ３１はＹＥＳに分岐され、ヘッドセット６との近距離無線通信によるデバイス検索要求及び接続要求に応答できる“接続許可状態”に設定される（ステップＳ３２）。
【００８７】
その後、近距離無線通信装置２−１により、ヘッドセット６に対して接続要求が発信される（ステップＳ３３）。このステップＳ３３における処理の後、または、前記ステップＳ２５がＹＥＳに分岐された場合、近距離無線通信装置２−１によって、“着信通知”がヘッドセット６に対して発信される（ステップＳ３４）。
【００８８】
一方、携帯端末装置２から発信された接続要求は、ヘッドセット６の近距離無線通信装置６−１によって受信され（ステップＴ３２）、当該近距離無線通信装置６−１は携帯端末装置２に対して接続応答を発信する（ステップＴ３３）。この接続応答は、携帯端末装置２の近距離無線通信装置２−１によって受信される（ステップＳ３４）。
【００８９】
その後、携帯端末装置２からの“着信通知（ステップＳ３５）”がヘッドセット６の近距離無線通信装置６−１によって受信され（ステップＴ３４）、当該近距離無線通信装置６−１は着信を報知する状態となる（ステップＴ３５）。
【００９０】
以上、図６に示すフローチャートと図８に示すフローチャートとを参照して説明した通り、ヘッドセット６において設定されているモード（エコモード／ノーマルモード（常時起動モード））に関わらず、携帯端末装置２においては常に同じ流れの処理によって、ヘッドセット６との近距離無線通信の接続が可能となり、ヘッドセット６に対して通話の着信を通知することができる。
【００９１】
図９は、エコモードに設定されている携帯端末装置２を用いて、ヘッドセット６によって発信処理を行うシーケンスの一例を示す図である。同図に示すシーケンスの処理は、携帯端末装置２においてはメイン制御部２−８によって実行され、ヘッドセット６においてはメイン制御部６−８によって実行される。
【００９２】
本例では、携帯端末装置２は、上述の“起動設定メニュー”におけるユーザ１の操作でエコモードに設定され（ステップＳ４１）、無線検出装置２−２が起動され（ステップＳ４２）、予め定められた特定の周波数の無線信号の検出処理が無線検出装置２−２によって連続的／間欠的に実行される状態となる（ステップＳ４３）。
【００９３】
なお、このステップＳ４３においては、無線検出装置２−２は、予め定められた周波数の全ての信号を検出してもよいし、時間軸における信号出力が特定のパターンとなる信号を検出してもよい。
【００９４】
一方、ヘッドセット６では、ユーザ１による起動モード設定スイッチ６−９の操作によってノーマルモード（常時起動モード）に設定された状態で電源が起動され（ステップＴ４１）、近距離無線通信装置６−１が起動される（ステップＴ４２）。そして、近距離無線通信装置６−１による接続処理が開始される（ステップＴ４３）。
【００９５】
ここで、予めユーザにより接続機器として登録されている機器（本例では携帯端末装置２）に対する接続要求が、近距離無線通信装置６−１によって一定時間繰り返し発信される（ステップＴ４４）。本例では、この時点において携帯端末装置２では近距離無線通信による接続が可能な状態ではない為、当該接続要求は失敗する。
【００９６】
上述のように登録されている機器に対する一定時間の接続要求が失敗した後、近距離無線通信装置６−１は対向機器からのデバイス検索要求及び接続要求に応答できる状態に設定される（ステップＴ４６）。
【００９７】
その後、予め登録されている機器に対して接続要求の発信を要求する操作が、ユーザ１によって実行されると（ステップＴ４７）、当該登録されている機器に対して、近距離無線通信装置６−２によって接続要求が発行される（ステップＴ４８）。しかしながら、本例ではこの時点においても、携帯端末装置２は近距離無線通信による接続が可能な状態ではない。従って、当該接続要求は失敗する（ステップＳ４４）。なお、これらステップＴ４７及びステップＴ４８における処理は省略してもよい。
【００９８】
続いて、ヘッドセット６では、何れかの対向機器との近距離無線通信の接続が確立されているか否かが判断される（ステップＴ４９）。何れかの対向機器と近距離無線通信の接続が確立されている場合には、このステップＴ４９がＹＥＳに分岐され、後述するステップＴ５７に移行する。
【００９９】
本例では、この時点において、携帯端末装置２の近距離無線通信装置２−１は起動されていない（携帯端末装置２とヘッドセット６とは近距離無線通信接続されていないので）。従って、ヘッドセット６に対して携帯端末装置２からは何ら接続応答は無い。従って、前記ステップＴ４９はＮＯに分岐される。
【０１００】
ここで、当該ヘッドセット６がエコモードに設定されているか否かが判断される（ステップＴ５０）。当該ヘッドセット６がエコモードに設定されている場合には、このステップＴ５０はＹＥＳに分岐され、無線検出装置６−２が停止される（ステップＴ５１）。
【０１０１】
このステップＴ５１における処理の後、または、前記ステップＴ５０がＮＯに分岐された場合、ヘッドセット６では、近距離無線通信装置６−１によって、近距離無線通信の規格で定められている周囲に存在する機器を検索する為にデバイス検索信号が発信される（ステップＴ５２）。このデバイス検索信号は一定時間、連続して発信される（ステップＴ５３）。
【０１０２】
一方、携帯端末装置２では、ヘッドセット６によって発信されたデバイス検索信号が無線検出装置２−２により受信され（ステップＳ４５）、検出される（ステップＳ４６）。これにより、携帯端末装置２では、近距離無線通信装置２−１が起動され、ヘッドセット６との近距離無線通信によるデバイス検索要求及び接続要求に応答可能な接続許可状態に設定される（ステップＳ４７）。そして、ヘッドセット６に対して、デバイス検索応答が発信される（ステップＳ４８）。
【０１０３】
この携帯端末装置２から発信されたデバイス検索応答は、ヘッドセット６により受信される（ステップＴ５４）。ヘッドセット６では、当該デバイス検索応答に含まれる対向機器の識別情報と、接続機器登録ＤＢ６−８ｂ１に格納されているデータと、が無線通信制御部６−８ｂによって照合され、当該デバイス検索応答を発信した機器が、予めユーザにより接続機器として登録されている機器であるか否かが判定される（ステップＴ５５）。
【０１０４】
ここで、デバイス検索応答を発信した対向機器は登録されている機器ではないと判定された場合、ステップＴ５５はＮＯに分岐され、後述する“発信時の接続失敗時処理”サブルーチンへ移行する。なお、“発信時の接続失敗時処理”サブルーチンにおける処理に移行する前に、一定時間だけ再度デバイス検索信号の発信を行って、別のデバイスを検索してもよい。
【０１０５】
一方、デバイス検索応答を発信した対向機器は登録されている機器であると判定された場合、ステップＴ５５はＹＥＳに分岐され、近距離無線通信装置６−１によって携帯端末装置２に対して接続要求が発信され（ステップＴ５６）、且つ、接続が成功した後に“発信要求”が携帯端末装置２に通知される（ステップＴ５７）。そして、携帯端末装置２では、近距離無線通信装置２−１によって前記“発信要求”が受信される。
【０１０６】
図１０は、“発信時の接続失敗時処理”サブルーチンの処理の一例を示す図である。本サブルーチンに入ると、ヘッドセット６では、当該ヘッドセット６がエコモードに設定されているか否かが判断される（ステップＴ２５１）。当該ヘッドセット６がエコモードに設定されている場合には、このステップＴ２５１がＹＥＳに分岐され、無線検出装置６−２が起動され（ステップＴ２５２）、且つ、近距離無線通信装置６−１が停止され（ステップＴ２５３）、無線検出装置６−２による待機状態となる（ステップＴ２５４）。
【０１０７】
当該ヘッドセット６がエコモードに設定されていない場合、ステップＴ２５１はＮＯに分岐され、何れかの対向機器との近距離無線通信の接続が確立されているか否かが判断される（ステップＴ２５５）。
【０１０８】
ここで、何れかの対向機器との近距離無線通信の接続が確立されている場合、ステップＴ２５５がＹＥＳに分岐され、当該接続に係る近距離無線通信による通信が続行される（ステップＴ２５７）。一方、何れの対向機器とも近距離無線通信の接続が確立されていない場合、ステップＴ２５５はＮＯに分岐され、当該ヘッドセット６の電源が落とされる（ステップＴ２５６）。
【０１０９】
図１１は、ヘッドセットを利用した通話を終了させる際の処理の一例を示すシーケンスを示す図である。
【０１１０】
まず、通話の終了処理が為されると、携帯端末装置２では、近距離無線通信装置２−１によって、ヘッドセット６に対して通話終了通知が発信される（ステップＳ１０１）。ヘッドセット６では、この通話終了通知が受信され、当該ヘッドセット６がエコモードに設定されているか否かが判断される（ステップＴ１０１）。
【０１１１】
当該ヘッドセット６がエコモードに設定されていない場合には、このステップＴ１０２がＮＯに分岐され、近距離無線通信装置６−１による待機状態となる（ステップＴ１０３）。
【０１１２】
一方、当該ヘッドセット６がエコモードに設定されている場合、ステップＴ１０２がＮＯに分岐され、現在接続中の近距離無線通信の切断要求が、携帯端末装置２に対して近距離無線通信装置６−１によって発信される（ステップＴ１０４）。この切断要求は、携帯端末装置２の近距離無線通信装置２−１により受信される（ステップＳ１０２）。
【０１１３】
続いて、近距離無線通信装置２−１によって、ヘッドセット６に対して近距離無線通信の切断応答が発信される（ステップＳ１０３）。このステップＳ１０３において発信された切断応答は、ヘッドセット６の近距離無線通信装置６−１により受信され、当該近距離無線通信装置６−１による近距離無線通信が停止される（ステップＴ１０６）。続いて、無線検出装置６−２が起動され（ステップＴ１０７）、無線検出装置６−２による待機状態となる（ステップＴ１０８）。
【０１１４】
以上説明したように、本一実施形態によれば、通常用いられている近距離無線通信規格による近距離無線通信の接続を、省電力で行うことができる通信装置及び通信システムを提供することができる。
【０１１５】
さらに、本一実施形態に係る通信装置及び通信システムによれば、通信装置（携帯端末装置２）の対向機器（ヘッドセット６）が何れのモードに設定されていても、通信装置（携帯端末装置２）は常に同じ処理で近距離無線通信の接続を行って、対向機器（ヘッドセット６）を用いた着信及び発信を実行できる。
【０１１６】
以上、一実施形態に基づいて本発明を説明したが、本一実施形態は上述した態様に限定されるものではなく、種々の変形及び応用が可能なことは勿論である。
【０１１７】
さらに、上述した実施形態には種々の段階の発明が含まれており、開示した複数の構成要件の適当な組み合わせにより種々の発明が抽出され得る。例えば、実施形態に示す全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【符号の説明】
【０１１８】
２…携帯端末装置、  ２−１…近距離無線通信装置、  ２−２…無線検出装置、  ２−３…公衆無線通信装置、  ２−４…ＫＥＹ入力装置、  ２−５…ディスプレイ、  ２−６…スピーカ、  ２−７…マイクロフォン、  ２−８…メイン制御部、  ２−８ａ…アプリケーション制御部、  ２−８ｂ…無線通信制御部、  ２−８ｃ…無線検出装置制御部、  ２−８ｄ…公衆無線制御部、  ２−８ｅ…通話制御部、  ２−８ｆ…ＫＥＹ入力制御部、  ２−８ｇ…画面出力制御部、  ２−８ａ１…近距離無線アプリ制御部、  ２−８ａ２…近距離無線モード制御部、  ２−８ｂ１…接続機器登録ＤＢ、  ４…基地局、  ６…ヘッドセット、  ６−１…近距離無線通信装置、  ６−２…無線検出装置、  ６−４…ＫＥＹ入力装置、  ６−６…スピーカ、  ６−７…マイクロフォン、  ６−９…起動モード設定スイッチ、  ６−８…メイン制御部、  ６−８ａ…アプリケーション制御部、  ６−８ｂ…無線通信制御部、  ６−８ｃ…無線検出装置制御部、  ６−８ｆ…ＫＥＹ入力制御部、  ６−８ｈ…電源モード制御部、  ６−８ｂ１…接続機器登録ＤＢ。
【図１】
2011254158.tif 000003
【図２】
2011254158.tif 000004
【図３】
2011254158.tif 000005
【図４】
2011254158.tif 000006
【図５】
2011254158.tif 000007
【図６】
2011254158.tif 000008
【図７】
2011254158.tif 000009
【図８】
2011254158.tif 000010
【図９】
2011254158.tif 000011
【図１０】
2011254158.tif 000012
【図１１】
2011254158.tif 000013